(57)【特許請求の範囲】
【請求項１】
コンテンツセントリックネットワーク（ＣＣＮ）における通信を円滑化するためにコンピュータで実行される方法であって、
第１のノードにおいて、コンテンツに対するインタレストをインタレスト所有者から受信するステップであって、
前記インタレストが、前記コンテンツの構造化された名前を示し、
前記名前が、階層的であってロケーションに特有のものではなく、前記名前のプレフィックスが前記コンテンツを識別し、
前記名前には、当該名前に対応する正しいコンテンツかどうかの検証のために前記第１のノード又はコンテンツ発行者の公開鍵のダイジェストが含まれており、
前記コンテンツがそのロケーションを変えた場合に、前記プレフィックスを含む、階層的であって前記名前全体が変更されず元のままである、受信するステップと、
前記第１のノードにおいて前記インタレストに対応する、要求された前記コンテンツが、ローカルで入手可能かどうかを判定するステップであって、
ローカルで入手可能な場合、前記コンテンツを前記インタレスト所有者に送信し、
ローカルで入手可能でない場合、
前記インタレストを未決として標識付け、
前記インタレストを前記ネットワーク内の第２のノードに転送し、
前記転送されたインタレストに応答した前記第２のノードからコンテンツを受信し、
前記インタレストに対する未決の標識付けを解除し、
前記コンテンツを前記インタレスト所有者に送信する、判定するステップと、
を含むことを特徴とする方法。
【請求項２】
請求項１に記載の方法であって、
前記受信したコンテンツが前記インタレストを満たすかどうかを判定するステップと、
任意選択で、前記受信したコンテンツが前記インタレストを満たすかどうかについて前記インタレスト所有者に通知するステップと、
をさらに含むことを特徴とする方法。
【請求項３】
請求項１に記載の方法であって、前記受信したコンテンツを前記第１のノードにおいてキャッシュするステップをさらに含み、このキャッシュするステップによって、前記コンテンツを将来のインタレストに対して利用可能にする、ことを特徴とする方法。
【請求項４】
請求項１に記載の方法であって、
前記インタレストが、前記コンテンツの一部分に対応し、
前記コンテンツを前記インタレスト所有者に送信することが、前記インタレストに対応する前記コンテンツの前記一部分を送信することを含み、
同じコンテンツのインタレストの連続受信が、前記コンテンツの配信のフロー制御を容易にする、
ことを特徴とする方法。
【発明の詳細な説明】
【技術分野】
【０００１】
本開示は、一般に、ネットワークを介した通信を円滑化することに関する。
【背景技術】
【０００２】
現在のウェブベースの命名構造の下では、ホストの識別情報、アドレス、またはロケーションについての知識は、対応するコンテンツを含む名前の中で暗示される。例えば、ｈｔｔｐ：／／ｗｗｗ．ａｍａｚｏｎ．ｃｏｍ／ｉｎｄｅｘ．ｈｔｍｌは、アドレスｗｗｗ．ａｍａｚｏｎ．ｃｏｍにあるマシンとコンタクトすることによって見出すことができる。しかし、これらのアドレッシング方式は、人間が読めるホスト名をＩＰアドレス（例えば、２０９．３４．１２３．１７８）に変換するために、ドメイン名システム（Ｄｏｍａｉｎ  Ｎａｍｅ  Ｓｙｓｔｅｍ，ＤＮＳ）を必要とする。現在のコンピュータシステムでは、ファイルが保存されているホストのＩＰアドレスを知らずに、クライアントが１つのコンテンツ（ａ  ｐｉｅｃｅ  ｏｆ  ｃｏｎｔｅｎｔ）を指示するための方法は存在せず、知っている場合でも、そのファイル名に関連するコンテンツは変更されていることがある。
【０００３】
いくつかのコンピュータシステムは、典型的には１６０ビットのオペークバイナリブラブ（ｏｐａｑｕｅ  ｂｉｎａｒｙ  ｂｌｏｂ）である固定長キーを用いてコンテンツを命名することによって、分散ハッシュテーブル（ｄｉｓｔｒｉｂｕｔｅｄ  ｈａｓｈ  ｔａｂｌｅ，ＤＨＴ）を使用してコンテンツを発見する。１つのコンテンツを取り出すため、ＤＨＴ対応システムは最初に、コンテンツの「名前」を取得し、次に、コンテンツが取り出され得る１つまたは複数のサーバを決定するために、この名前からサーバの集合へのマッピングを使用する。
【０００４】
プロトコル独立マルチキャスト疎モード（Ｐｒｏｔｏｃｏｌ−Ｉｎｄｅｐｅｎｄｅｎｔ  Ｍｕｌｔｉｃａｓｔ  Ｓｐａｒｓｅ  Ｍｏｄｅ，ＰＩＭ−ＳＭ）は、ツリーベースのルーティングを使用して、オンデマンドでコンテンツをルーティングすることを可能にするプロトコルである。ＰＩＭ−ＳＭでは、（マルチキャストのために指定された集合から取り出されるＩＰアドレスとして表される）特定のＩＰマルチキャスト「チャネル」を受信することに関心があるノードは、それらの「上流」にあるマルチキャスト対応ルータまたはスイッチに、そのコンテンツを受信することを届け出る。次にそのルータが、そのコンテンツを受信することを再帰的に届け出る。コンテンツがそのアドレスで生成された場合、ルータは、そのようなインタレスト（ｉｎｔｅｒｅｓｔ，コンテンツを受信することに関心がある旨）が届け出られた、ルータの様々な発信インターフェースまたはスイッチポートを調べることができ、新しいコンテンツをそれらのインターフェースまたはスイッチポートにだけ転送することができる。
【発明の概要】
【発明が解決しようとする課題】
【０００５】
ＤＨＴシステムは、制限されたダイナミズムを提供する。ＤＨＴシステムは、ホストがＤＨＴリング（ＤＨＴ  ｒｉｎｇ）に追加され、またはＤＨＴリングから削除され得るように、オペークな（ｏｐａｑｕｅ）名前またはキーからホストへのマップを横断するために使用される正方向ポインタおよび逆方向ポインタを使用する。しかし、ＤＨＴ名からデータへのマッピングは固定されており、そのリングの外部のデータを見つけることはできない。
【０００６】
ＰＩＭ−ＳＭおよび他の形態のマルチキャストルーティングは、ＩＰアドレスの小さな空間上でマルチキャストツリーを生成するにすぎず、フロー制御を提供しない。言い換えると、コンテンツに対する単一のインタレストは、ありとあらゆる入手可能なコンテンツに対して水門を開くことができ、したがって、潜在的に、ネットワークを水没させ、マルチキャストを使用不可にさせ、または抑制させる。これは、ＰＩＭ−ＳＭおよび他の形態のマルチキャストルーティングが、マッチングコンテンツが見つかった場合に、インタレストを消滅させないからである。
【課題を解決するための手段】
【０００７】
本発明の一実施形態は、コンテンツセントリックネットワーク（ｃｏｎｔｅｎｔ  ｃｅｎｔｒｉｃ  ｎｅｔｗｏｒｋ，ＣＣＮ）における通信を円滑化するためのシステムを提供する。動作中、システムは、第１のノードにおいて、１つのコンテンツに対するインタレストをインタレスト所有者（ｉｎｔｅｒｅｓｔ  ｏｗｎｅｒ）から受信する。インタレストは、コンテンツの構造化された名前を指示する。さらに、名前は、コンテンツに関して一意的および永続的であり、コンテンツについての認証情報を含む。次にシステムは、第１のノードにおいて入手可能なコンテンツがインタレストを満たすかどうかを判定する。インタレストを満たす場合、システムは、コンテンツをインタレスト所有者に送信する。インタレストを満たさない場合、システムは、インタレストを未決（ｐｅｎｄｉｎｇ）として標識付け、インタレストに基づいて、インタレストをネットワーク内の第２のノードに転送する。転送されたインタレストに応答した第２のノードからコンテンツを受信した後、システムは、インタレストに対する未決の標識付けを解除し、コンテンツをインタレスト所有者に送信する。
【０００８】
この実施形態の一変形では、システムは、受信したコンテンツがインタレストを満たすかどうかを判定し、任意選択で、受信したコンテンツがインタレストを満たすかどうかについてインタレスト所有者に通知する。
【０００９】
この実施形態の一変形では、システムは、名前によって保持される情報を使用して、受信したコンテンツを認証し、任意選択で、受信したコンテンツが真正であるかどうかについてインタレスト所有者に通知する。
【００１０】
この実施形態の一変形では、システムは、受信したコンテンツを第１のノードにおいてキャッシュし、それによって、そのコンテンツを将来のインタレストに対して利用可能にする。
【００１１】
この実施形態の一変形では、コンテンツは、コンテンツがネットワーク内の１つまたは複数のノードによって真正性を確認され得るように、デジタル的に署名される。
【００１２】
この実施形態の一変形では、インタレストは、コンテンツ体系の一部分に対応し、コンテンツをインタレスト所有者に送信することは、インタレストに対応するコンテンツの一部分を送信することを含み、同じコンテンツに対するインタレストの連続受信は、コンテンツの配信のフロー制御を容易にする。
【００１３】
この実施形態の一変形では、インタレストに対する第２のインタレストが、コンテンツプロバイダから受信され、それによって、コンテンツプロバイダがコンテンツに対するインタレストを求めることを可能にする。
【００１４】
この実施形態の一変形では、インタレストは、デジタル的に署名され、したがって、インタレストに応答してコンテンツを返信する前に、インタレストが認証されることを可能にする。
【００１５】
一実施形態では、システムが、１つのコンテンツに対するインタレストを生成し、インタレストは、コンテンツの構造化された名前を指示し、名前は、コンテンツに関して一意的および永続的であり、名前は、コンテンツについての認証情報を含む。次にシステムは、インタレストをネットワーク内のノードに送信する。
【図面の簡単な説明】
【００１６】
【図１】本発明の一実施形態による、ＣＣＮの例示的なアーキテクチャを示す図である。
【図２】本発明の一実施形態による、ＣＣＮにおける通信を円滑化するプロセスを図説するフローチャートを提示する図である。
【図３】本発明の一実施形態による、ＣＣＮにおいて、受信したコンテンツがインタレストを満たすかどうかを判定するプロセスを図説するフローチャートを提示する図である。
【図４】本発明の一実施形態による、ＣＣＮにおいて、コンテンツ名によって保持される情報を使用して、受信したコンテンツを認証するプロセスを図説するフローチャートを提示する図である。
【図５】本発明の一実施形態による、受信したコンテンツを認証するプロセスを図説するフローチャートを提示する図である。
【図６】本発明の一実施形態による、インタレストを生成し、それをＣＣＮ内のノードに送信するプロセスを図説するフローチャートを提示する図である。
【図７】本発明の一実施形態による、ＣＣＮにおける通信を円滑化するための例示的なコンピュータシステムを提示する図である。
【発明を実施するための形態】
【００１７】
本発明の実施形態は、コンテンツセントリックネットワーク（ＣＣＮ）のためのアーキテクチャを提供し、ＣＣＮは、コンテンツトランスポートに新しい手法をもたらす。コンテンツがそれを介して伝わるエンドツーエンド会話としてアプリケーションレベルでネットワークトラフィックを見せる代わりに、コンテンツは、その一意名に基づいて要求され、または返信され、ネットワークが、プロバイダから消費者までのコンテンツのルーティングに責任を負う。コンテンツは、テキスト、イメージ、ビデオ、および／またはオーディオなどの任意の形式のデータを含む、通信システムにおいてトランスポートされ得るデータを含むことに留意されたい。消費者およびプロバイダは、ＣＣＮの内部もしくは外部の自動プロセスとすることができる。１つのコンテンツは、コンテンツ全体、またはコンテンツのそれぞれの部分を示すことができる。例えば、新聞記事は、データパケットとして実施される複数のコンテンツによって表すことができる。１つのコンテンツは、認証データ、作成日付、コンテンツ所有者などの情報を用いてその１つのコンテンツを説明または増強する、メタデータに関連付けることもできる。本発明は、ＣＣＮにおいて通信を円滑化するためのコンピュータ実施システムを含む。システムの特性はＣＣＮの特性であり、その逆も言えるので、以下、システムという語をＣＣＮと相互交換可能なものとして使用する。
【００１８】
ＣＣＮは、コンテンツキャッシュを可能にすることによって、コンテンツ配布（ｃｏｎｔｅｎｔ  ｄｉｓｓｅｍｉｎａｔｉｏｎ）の効率性およびユーサビリティを著しく改善することができる。コンテンツはロケーションではなく名前によってアドレス指定され得るので、ＣＣＮは、コンテンツが移動することを可能にすることによって、コンテンツの移動性も改善することができる。
【００１９】
いくつかの実施形態では、ＣＣＮホストは、ファイルなどのコンテンツコンテナの名前ではなく、コンテンツの名前に基づいて、コンテンツを識別し、要求し、配布することができる。コンテンツ名とコンテナ名の間には微妙だが大きな相違があることに留意されたい。コンテナ名は、ファイルのラベルであるにすぎない。対照的に、本明細書で説明されるＣＣＮにおいて使用されるコンテンツ名は、コンテンツに関して一意的および永続的であり、コンテンツの内容と直接的な１対１の関連を有する。
【００２０】
ＩＰアドレスとは異なり、コンテンツ名は、必ずしもコンテンツのロケーションを指示せず、ＣＣＮが、コンテンツのルーティングに責任を負う。ＣＣＮにおいては、コンテンツ名は、「永続的」であり、コンテンツ固有である。すなわち、コンテンツを変更した場合、そのコンテンツは、新しい名前に効果的に関連付けられる。この永続性は、明示的なバージョン管理メカニズムを用いて達成することができ、例えば、新しいコンテンツは、所与の名前の「バージョン４」とすることができる。永続性は、暗黙的に達成することもできる。例えば、コンテンツは、人が設定した名前ばかりでなく、認証メタデータ（例えば、コンテンツの発行者によるデジタル署名）にも関連付けることができる。結果として、コンテンツに関連付けられた名前は、そのコンテンツが変更された場合に変更される。
【００２１】
機能的に、ＣＣＮは、様々な名前とそれらが表すコンテンツの間の関連を保持することができる。一実施形態では、名前は、階層的であり、多くの状況では、ユーザによって理解可能である。例えば、「／ａｂｃｄ／ｂｏｂ／ｐａｐｅｒｓ／ｃｃｎ／ｎｅｗｓ」は、コンテンツの名前とすることができ、すなわち、「ＡＢＣＤ」と名付けられた組織の「Ｂｏｂ」という名前のユーザに関する文書（ｐａｐｅｒｓ）の「ｃｃｎ」コレクションからの「ｎｅｗｓ」記事とすることができる。ＣＣＮにおいては、コンテンツ消費者は、アプリケーションの観点から、どのように「ＡＢＣＤ」組織を見つけるかを決定する必要はなく、またはどのホストがＢｏｂのＣＣＮ発表を保有しているかを見つける必要もない。コンテンツ消費者は、コンテンツを要求する任意のエンティティまたはマシンである。
【００２２】
一実施形態では、１つのコンテンツを要求するために、ＣＣＮノードは、そのコンテンツに対するインタレストをコンテンツの名前によって届け出る（例えば、ブロードキャストする）。１つのコンテンツに対するインタレストは、コンテンツの名前または識別子による、コンテンツの問い合わせ（クエリ，ｑｕｅｒｙ）とすることができる。コンテンツは、ネットワーク内で入手可能である場合、そのコンテンツを保存するホストによってネットワークに返送される。一実施形態では、ルーティングインフラストラクチャは、知的な判断を行って、情報を有する可能性の高い有望なノードにインタレストを伝え、その後、インタレストが辿った経路を逆方向に辿って、利用可能なコンテンツを搬送する。
【００２３】
ＣＣＮは、ＣＣＮを特に魅力的にする付加的な特性を有する。例えば、すべてのコンテンツは、暗号を用いて認証することができ、これは、ネットワーク上のノードのあるサブセット（例えば、コンテンツの合法的なクエリ発行者（ｑｕｅｒｉｅｒ））が１つのコンテンツの真正性を確認できることを意味する。ＣＣＮは、コンテンツが、その発行者とは独立に、名前によってアクセスされることも可能にする。
【００２４】
同時に、本発明の実施形態は、ある発行者によってコンテンツに対する要求を特定化することができる。例えば、「ｆｏｏ．ｔｘｔ」、または「ボブによって署名されたｆｏｏ．ｔｘｔ」を求めることができる。製作者と消費者の間の契約として、任意の形式の自己検証名（ｓｅｌｆ−ｖｅｒｉｆｙｉｎｇ  ｎａｍｅ）が使用できる。ハイブリッド型の自己検証名を使用することも可能であり、その場合、名前の前半の構成要素は、組織および効率的なルーティング用であり、名前の後半の構成要素が、自己検証用である。加えて、ＣＣＮは、コンテンツと信用の分離を可能にし、異なるコンテンツ消費者が、信用を確立するための異なるメカニズムを同じコンテンツに対して使用することを可能にする。コンテンツが単一の発行者によって署名されたとしても、発行者は異なる理由で信用されることが可能である。例えば、１人のユーザは、署名者との直接的な個人的関係のために、所与のコンテンツを信用することがあり、一方、別のユーザは、そのユーザが信用することを選んだ公開鍵インフラストラクチャ（ｐｕｂｌｉｃ  ｋｅｙ  ｉｎｆｒａｓｔｒｕｃｔｕｒｅ，ＰＫＩ）へのコンテンツ署名者の参加のために、同じコンテンツを信用することがある。
【００２５】
図１は、本発明の一実施形態による、ＣＣＮの例示的なアーキテクチャを図示している。この例では、ＣＣＮ１８０は、ＣＣＮノード１００〜１４５を含む。ＣＣＮ内の各ノードは、１つまたは複数の他のノードに結合される。ネットワーク接続１８５は、そのような接続の一例である。ネットワーク接続は、実線として示されているが、各線は、１つのノードを別のノードに結合できる下位ネットワーク（ｓｕｂ−ｎｅｔｗｏｒｋ）または上位ネットワーク（ｓｕｐｅｒ−ネットワーク）を表すこともできる。ＣＣＮ１８０は、ローカルネットワーク、上位ネットワーク、または下位ネットワークとすることができる。これらのネットワークの各々は、１つのネットワーク内のノードが他のネットワーク内のノードに達することができるように、相互接続することができる。ネットワーク接続は、ブロードバンド、無線、電話、衛星、または任意のタイプネットワーク接続とすることができる。ＣＣＮノードは、コンピュータシステムまたはエンドポイントとすることができ、エンドポイントは、ユーザ、および／またはインタレストを生成でき、もしくはコンテンツを創造できるデバイスを表す。
【００２６】
本発明の一実施形態によれば、消費者は、１つのコンテンツに対するインタレストを生成することができ、その後、そのインタレストをＣＣＮ１８０内のノードに送信することができる。その１つのコンテンツは、ネットワークの内部または外部に配置され得る発行者またはコンテンツプロバイダによって、ＣＣＮ１８０内のノードに保存することができる。例えば、図１では、１つのコンテンツに対するインタレストが、ＣＣＮノード１０５において生じる。コンテンツがそのノードにおいて入手可能でない場合、インタレストは、その第１のノードに結合された１つまたは複数のノードに流れる。例えば、図１では、インタレストは、ＣＣＮノード１１５に流れるが（インタレストの流れ１５０）、ＣＣＮノード１１５は、入手可能なコンテンツを有していない。次にインタレストは、ＣＣＮノード１１５からＣＣＮノード１２５に流れるが（インタレストの流れ１５５）、やはりＣＣＮノード１２５は、コンテンツを有していない。次にインタレストは、ＣＣＮノード１３０に流れ（インタレストの流れ１６０）、ＣＣＮノード１３０は、入手可能なコンテンツを有している。その後、コンテンツの流れは、コンテンツの配送先であるＣＣＮノード１０５に達するまで、先の経路を逆に辿る（コンテンツの流れ１６５、１７０、１７５）。認証などの他のプロセスが、コンテンツの流れに含まれていてもよい。
【００２７】
ＣＣＮ１８０では、コンテンツ保有者（ＣＣＮノード１３０）とインタレスト生成ノード（ＣＣＮノード１０５）の間の経路にある任意の数の中間ノード（ＣＣＮノード１００〜１４５）が、コンテンツがネットワークを横断する際に、コンテンツの局所的コピーのキャッシュに関与することができる。キャッシュは、局所的にキャッシュされたコンテンツへのアクセスを暗黙的に共有することによって、他の加入者の近くに配置された第２の加入者に関するネットワーク負荷を軽減する。図１では、ＣＣＮノード１００が、ＣＣＮノード１０５と同じコンテンツに対するインタレストを届け出た場合、ＣＣＮノード１３０までの全コンテンツ経路をわざわざ辿らなくても、ＣＣＮノード１１５に保存された局所的にキャッシュされたコンテンツのコピーが、インタレストを満たすことができる。
【００２８】
さらに、１つのノードが突然故障したとしても、多数のノードからコンテンツが取り出せるので、ＣＣＮ１８０は、より優れた耐障害性を提供することができる。ＣＣＮでは、１つのコンテンツは、自己認証することができ、これは、コンテンツがそれ自体の認証を含むことを意味する。一実施形態では、１つのコンテンツの各フラグメントは、それを誰からでもキャッシュ、複製、および取得でき、そのインテグリティおよび真正性を確証できるように、消費者によって信用された何者かによってデジタル的に署名されていてよい。
【００２９】
本発明の一実施形態では、ＣＣＮホストは、自己認証コンテンツ、コンテンツアドレスとして直接的に処理される名前、およびフロー制御を提供するインタレストとデータのペアリングを組み合わせる。この手法は、動的な名前ベースの通信プロトコルを可能にする。インタレストおよびインタレスト当事者に返されるコンテンツの動的ルーティングのため、結果のネットワークは、ノードの離脱およびネットワークの分割に対して回復力があり、ノードの移動性を促進する固有のメカニズムを提供する。例えば、ＣＣＮノード１００は、移動して、ＣＣＮノード１０５と結合されてよい。ＣＣＮ１８０は名前によってコンテンツを見つけるので、セルフォンのユーザが通信中にセルからセルへと移動できるのと同様に、コンテンツプロバイダは、コンテンツを提供している最中にノードからノードへと移動することができる。
【００３０】
ＣＣＮの動的な名前ベースのルーティング手法には大きな利点が存在する。第１に、ＤＨＴとは対照的に、コンテンツ製作者が、コンテンツを保存および提供することに責任を負う者を管理する。ＣＣＮ内の他のノードは、そのコンテンツをキャッシュし、それを同じように提供することができるが、コンテンツの初期源泉として働くベースノード（ｂａｓｅ  ｎｏｄｅ）は、所与の名前プレフィックスに対するデフォルトルートによって決定される。ＤＨＴの場合、特定のコンテンツを提供することに責任を負う１つまたは複数のノードは、どのノードがキー空間のどの部分に責任を負うことになるかによって、セミランダムに決定される。そのようなノードの方針および信頼性は、コンテンツ製作者の管理の外にあり、それらのロケーションは、コンテンツ検索にとって準最適なこともある。
【００３１】
第２に、ＣＣＮ内のセキュリティは、コンテンツベースであり、データは、どこにでも保存することができ、または誰からでも取り出すことができる。これが、より高いデータセキュリティと、著しく高められたネットワーク効率をもたらす。第３に、ＣＣＮは、フローを平衡させて動作することができ、固有の公平性、レート制限、および変化するネットワーク状態に対する動的応答を提供する。
【００３２】
図２は、本発明の一実施形態による、ＣＣＮにおける通信を円滑化するプロセスを図説するフローチャートを提示している。動作中、システムは、第１のノードにおいて、１つのコンテンツに対するインタレストをインタレスト所有者から受信し（動作２００）、インタレストは、コンテンツの構造化された名前を指示する。名前は、コンテンツに関して一意的および永続的であることに留意されたい。一実施形態では、名前は、コンテンツについての認証情報を含み、名前の少なくとも一部は、ロケーションまたはアドレスに関連しない。次にシステムは、第１のノードにおいて入手可能なコンテンツがインタレストを満たすかどうかを判定する（動作２１０）。インタレストを満たす場合、システムは、コンテンツをインタレスト所有者に送信する（動作２２０）。インタレストを満たさない場合、システムは、インタレストを未決として標識付け（動作２３０）、インタレストに基づいて、インタレストをネットワーク内の第２のノードに送信する（動作２４０）。インタレストを未決として標識付けすることは、ハッシュテーブル、ブルームフィルタ（ｂｌｏｏｍ  ｆｉｌｔｅｒ）、連結リスト、および／または配列を含む、様々な標識付け方法を用いて実施することができる。
【００３３】
システムは、インタレストをどの第２のノードに送信すべきかを決定するために、様々なルーティング方法を使用することができる。例えば、システムは、情報採餌（ｉｎｆｏｒｍａｔｉｏｎ  ｆｏｒａｇｉｎｇ）方針を使用することができ、その場合、インタレストは、コンテンツが存在する可能性が最も高い場所に流れ、コンテンツは、インタレストを表明したノードに戻るために、同じ経路を逆に辿って流れる。
【００３４】
システムは、コンテンツの発行時にそのコンテンツの受信に対するインタレストを届け出たノードに、コンテンツをオンデマンドでルーティングすることもできる。例えば、特定のマルチキャストチャネルの受信に関心があるノードは、それらの「上流」にあるマルチキャスト対応ルータまたはスイッチに、そのコンテンツの受信に対するインタレストを届け出ることができる。その後、ルータは、そのコンテンツの受信に対するインタレストを再帰的に届け出ることができ、以降も同様である。コンテンツが源泉で生成された場合、源泉に最も近いルータは、そのようなインタレストがそこから届け出られた様々なインターフェースまたはポートを調査することができ、新しいコンテンツをそれらのインターフェースまたはポートにだけ転送することができる。その結果は、ネットワークトポグラフィ（ｎｅｔｗｏｒｋ  ｔｏｐｏｇｒａｐｈｙ）の観点で広範囲に分散することがあるホストに向けた、コンテンツの帯域幅効率の良いツリーベースのルーティングである。
【００３５】
送信されたインタレストに応答した第２のノードからコンテンツを受信した後（動作２５０）、システムは、インタレストに対する未決の標識付けを解除し（動作２６０）、コンテンツをインタレスト所有者に送信する（動作２７０）。インタレストを未決として標識付けする以外、システムは、インタレストについての他のいかなる状態情報も維持する必要がない。
【００３６】
インタレスト所有者は、必ずしも初期インタレストを生成した最初のエンティティである必要はないことに留意されたい。インタレスト所有者は、第１のノードにインタレストを送信した、先行するノードである。したがって、インタレスト所有者であることは相対的である。例えば、ノードＡは、ノードＢに対してインタレスト所有者となることができ、ノードＢは、ノードＣに対してインタレスト所有者となることができる。
【００３７】
第２のノードは、ローカルネットワーク、上位ネットワーク、または下位ネットワーク内に存在できることにも留意されたい。第１のノードにおけるルーティング方針は、インタレストがどのノード（およびどのネットワーク）に送信されるべきかを決定する。インタレストは、この方針およびインタレストに基づいて、第２のノードに送信される。
【００３８】
ＣＣＮは、名前をコンテンツに関連付けることができ、その場合、名前は永続的である。「永続的」という語は、コンテンツは移転することができるが、名前はコンテンツと結びついたままであることを意味する。これまでのインターネット通信モデルでは、コンテンツサーバがダウンし、コンテンツが移転された場合、コンテンツのサーバ名は、変更されなければならない。ＣＣＮでは、コンテンツ名は、変更されず元のままである。これは、１つのコンテンツに対するインタレストが、そのコンテンツがどこに存在しようと、コンテンツを見つけることを可能にする。
【００３９】
「永続的」という語は、コンテンツが変更された場合、その名前が変化することも意味する。新しい名前は、元の名前のバージョンとして自動的に生成することができ、認証メタデータ（例えば、コンテンツの発行者によるデジタル署名）に関連付けることができ、コンテンツ変更の特質を反映することができる。
【００４０】
ＣＣＮ内における名前は、それらを構成要素に分割することによって、構造化することができる。例えば、／ｐａｒｃ／ｈｏｍｅ／ｓｍｅｔｔｅｒｓ／ｔｅｓｔ．ｔｘｔでは、個々の名前構成要素は、ｐａｒｃ、ｈｏｍｅ、ｓｍｅｔｔｅｒｓ、およびｔｅｓｔ．ｔｘｔである。構造化された名前は、命名されたコンテンツの効率的なルーティングも可能にする。構成要素に基づく構造は、名前の階層組織、および名前によってコンテンツにアクセスする際の対数的な効率を可能にする。ＣＣＮの命名方式には、単一の「ルート」は存在しない。しかし、この命名方式は、木からなる森としてモデル化することができる。名前は、様々な方法で構造化することができる。例えば、名前は、左にいくほど上位プレフィックス（ｌｅｆｔ−ｏｒｉｅｎｔｅｄ  ｐｒｅｆｉｘ−ｍａｊｏｒ）となるように構造化することができる。例えば、／ｐａｒｃ／ｈｏｍｅ／ｓｍｅｔｔｅｒｓという名前は、／ｐａｒｃ／ｈｏｍｅ／ｓｍｅｔｔｅｒｓ／ｔｅｓｔの「親」とすることができる。
【００４１】
名前構成要素は、バイナリ列とすることができ、基礎をなすネットワークに対してオペーク（ｏｐａｑｕｅ，不明瞭）とすることができる。より一般的には、名前構成要素の意味論的な意味は、名前作成者と消費者の間の合意または規約である。名前は、テキスト、または低レベルＣＣＮノードが「特別な」名前構成要素の意味を理解できる形式とすることもできる。
【００４２】
要約すれば、システムは、名前（コンテンツ識別子）をコンテンツに関連付ける。この命名規約のため、ＣＣＮコンテンツは、その名前によってアドレス指定し、発見し、取り出し、キャッシュし、配布することができる。ＣＣＮでは、コンテンツを取得することは、そのコンテンツに関連付けられた名前に対するインタレストを公表することを意味する。ＣＣＮは、名前に基づいて、情報をどのようにルーティングすべきかを決定する。インタレストがコンテンツによって満たされるたびに、インタレストは消去され、したがって、フローの平衡を保証する（ノードは望まれるより多くのコンテンツを送信しない）。コンテンツの別のフラグメントを受信するため、消費者は、別のインタレストを表明する必要があることがある。したがって、リンク帯域幅に関わらずネットワークリンクの特性に伴って自動的にスケーリングされ得る効率的な輻輳制御を提供するため、ＣＣＮは、インタレストをコンテンツとペアリングする。
【００４３】
典型的な通信トランザクションでは、受信機は一般に、受信機が望んでいるものを送信機に伝達する。さらに、受信機が望んでいるものは、通信が進展するにつれて変化し得る。例えば、ＴＣＰ（Ｔｒａｎｓｍｉｓｓｉｏｎ  Ｃｏｎｔｒｏｌ  Ｐｒｏｔｏｃｏｌ，伝送制御プロトコル）セッションは、バイトの線形系列の転送として通信をモデル化する。ＴＣＰセッションでは、受信機は、受信機がまだ得ていない（パケット列内の）第１のパケットに関連付けられた（パケットヘッダの肯定応答フィールド内の）識別子を用いて、望んでいるものを知らせる。識別子は、トランスポート状態を表す。パフォーマンスの理由で、受信機が望んでいるものについてコンパクトな表現をもつことが重要である。加えて、スケーリングの目的で、（通信状態を追跡する）この表現が、受信機のインタレストまたは肯定応答パケットにおいて明示的に曖昧性なく表現されることが重要である。その理由は、一般に暗黙的な状態表現はどれもネットワークに備わっていなければならず、これは、サイズ、地理的規模、帯域幅、およびネットワーク使用が増大するにつれて、状態情報を維持するためのネットワーク上の負荷が増大することを意味するからである。
【００４４】
対照的に、ＣＣＮは、ビットの線形転送として通信をモデル化しない。代わりに、ＣＣＮは、データのツリー構造コレクションに対するインタレストを満たすこととして通信をモデル化する。ＣＣＮは、受信機が受信したものと受信機が受信することを望むものとの間の境界をコンパクトに表現することができる。この特徴は、ＣＣＮが、ネットワークサイズ、帯域幅、および地理的規模を拡大することを可能にする。さらに、ＣＣＮでは、ノードは、順序付けられたものとして名前ツリー全体を見る。すなわち、コンテンツ名がビット列として見られる場合、順序は、数値比較によって定義することができる。順序付けられたツリーでは、ノードが有しているものとの関連によりノードが望んでいるものを記述することが可能であることに留意されたい。加えて、ノードが有しているものとの関連によるノードが望んでいるものについての記述は、送信機が名前ツリーのランダムな部分しか知らないとしても、いずれの潜在的な送信機によっても正しく解釈することができる。ＣＣＮでは、ツリー関係は、単純（例えば、子、右側兄弟（ｒｉｇｈｔ  ｓｉｂｌｉｎｇ）、最遠の右側兄弟など）であることも、または複雑（例えば、「ノード値について特定のブルームフィルタとマッチしない子」）であることもできる。
【００４５】
コンテンツに対するインタレストは、プレフィックス指向の方法で満たす（すなわち、マッチングさせる）ことができる。例えば、／ｐａｒｃ／ｈｏｍｅ／ｓｍｅｔｔｅｒｓに対するインタレストは、／ｐａｒｃ／ｈｏｍｅ／ｓｍｅｔｔｅｒｓ／ｔｅｓｔ．ｔｘｔおよび／ｐａｒｃ／ｈｏｍｅ／ｓｍｅｔｔｅｒｓ／ｂａｒ．ｔｘｔの両方とマッチする。名前構成要素の数に関する最長マッチが、最良と見なされる。名前は、右側志向とすることもでき、または他の形式の内部構造を有することもできる。同様に、インタレストに対する名前の満足は、より複雑なマッチング方法を含むこともできる。
【００４６】
図３は、本発明の一実施形態による、受信したコンテンツがインタレストを満たすかどうかを判定するプロセスを図説するフローチャートを提示している。動作中、システムは最初に、受信したコンテンツがインタレストを満たすかどうかを判定する（動作３００）。次にシステムは、任意選択で、受信したコンテンツがインタレストを満たすかどうかについてインタレスト所有者に通知する（動作３１０）。
【００４７】
認証は、正しい源泉であると人が信じる源泉によってコンテンツが生成され、通過中にコンテンツが変更されていないことを決定するプロセスである。本発明の一実施形態によれば、システムは、いくつかの方法で認証を達成することができる。
【００４８】
システムがコンテンツを認証できる１つの方法は、自己検証コンテンツ名を使用することである。１つのコンテンツの自己検証名は、望んだ「名前」をひとたび学習すれば、その名前に対応する正しいコンテンツを見つけたことを検証できるように、暗号化（例えば、ＳＨＡ−１）ダイジェストを含むことができる。ネットワークホスト（例えば、所与の１つのコンテンツに対するインタレストを保存し、それに応答することに責任を負うホスト）のための自己検証名は、そのホストの公開鍵の暗号化ダイジェストとすることができ、そのホストへのセキュアな（例えば、トランスポートレイヤセキュリティ（Ｔｒａｎｓｐｏｒｔ  Ｌａｙｅｒ  Ｓｅｃｕｒｉｔｙ）／セキュアソケットレイヤ（Ｓｅｃｕｒｅ  Ｓｏｃｋｅｔｓ  Ｌａｙｅｒ））接続を確立した場合、ターゲットを識別するために使用したダイジェストに対応する秘密鍵をターゲットが知っていることを検証することによって、意図したターゲットに実際に話しかけていることを検証することができる。
【００４９】
自己検証コンテンツ名を容易にする別の手法は、コンテンツ発行者の公開鍵のダイジェストをコンテンツ名に含むことである。そのコンテンツの消費者は、誰がコンテンツを生成するはずか以外のセマンティクス（意味論）をその名前に付加することができない。
【００５０】
一実施形態では、ＣＣＮコンテンツ発行者は、発行者の公開鍵と発行者によって与えられるラベルまたはフレンドリ名（ｆｒｉｅｎｄｌｙ  ｎａｍｅ）との暗号化ダイジェストから、コンテンツ名を生成することができる。ラベルは、フラットな（すなわち、非階層的な）名前空間から取り出すことができる。この手法では、１つのコンテンツの名前は、コンテンツ発行者に厳格に合わされるが、所与の発行者の同じコンテンツの異なるフラグメントは、ラベルによって識別することができる。
【００５１】
具体的には、システムは、単なるコンテンツではなく、名前とコンテンツとの関連を認証することができる。例えば、コンテンツをＣＣＮに挿入するときに発行者が「言う」ことは、「ＮはコンテンツＣ用の私の名前である」である。コンテンツ発行者は、名前ＮからコンテンツＣへのマッピングにデジタル的に署名することができる。一実施形態では、１つのＣＣＮコンテンツの完全な名前は、名前をその名前の署名と共に含む。ＣＣＮコンテンツは、認証メタデータ（例えば、発行者の公開鍵の暗号化ダイジェストなどの発行者の識別子、タイムスタンプ、およびコンテンツのタイプの表現）も含むことができる。
【００５２】
この手法は、いくつかの利点を有する。第１に、この手法は、コンテンツが発行者とは独立の名前によってアクセスされることを可能にする。同時に、発行者によってコンテンツに対する要求を特定化することが可能である（ｆｏｏ．ｔｘｔ、または「ボブによって署名されたｆｏｏ．ｔｘｔ」を求めることができる）。第２に、この手法は、他の手法の上位セットとすることができ、製作者と消費者の間の契約として、上記の形式の自己検証名のいずれも使用することが可能である。ハイブリッド自己検証名を使用することも可能であり、その場合、名前の前半の名前構成要素は、組織および効率的なルーティング用であり、後半の名前構成要素が、自己検証用である。第３に、この手法は、コンテンツと信用の分離を可能にし、異なるコンテンツ消費者が、信用を確立するための異なるメカニズムを同じコンテンツに使用することを可能にする。コンテンツは、１つの発行者によって署名され得るが、その発行者は、インタレスト所有者に応じた理由で信用されることが可能である。例えば、インタレスト所有者は、コンテンツ所有者と同じ会社で働いていることがあり、そのために、コンテンツが真正であることを信用する。または、コンテンツ所有者が信用するに足りないことがあり、その場合、インタレスト所有者は、このコンテンツ所有者からのいかなるコンテンツも信用しないことがある。
【００５３】
図４は、ＣＣＮにおいて、コンテンツ名によって保持される情報を使用して、受信したコンテンツを認証するプロセスを図説するフローチャートを提示している。システムは最初に、コンテンツの名前によって保持される情報を使用して、受信したコンテンツを認証する（動作４００）。次にシステムは、任意選択で、受信したコンテンツが真正であるかどうかについてインタレスト所有者に通知する（動作４１０）。
【００５４】
図５は、認証のためにシステムが使用する２つの方法を図説するフローチャートを提示している。システムは最初に、受信したコンテンツが発行者からのものかどうかを判定する（動作５００）。次にシステムは、発行者から受信したコンテンツが変更されていないかどうかを判定する（動作５１０）。
【００５５】
ＣＣＮノードは、ＣＣＮインフラストラクチャの外部から到着するコンテンツを認証するための、認証プロキシとしても働くことができる。上述されたように、各ＣＣＮコンテンツは、（例えば、デジタル署名を用いて）公的に検証可能であることが理想的である。システムは、この認証の一部として標準的なデジタル署名を使用することができ、またはおそらくはパケットが最初に生成された後のある時点でそれらのパケットを検証できるだけのコストで、単一のデジタル署名のコストを複数のコンテンツにわたって償却するための、他の任意の形式の公的に検証可能な署名を使用することができる。そのようなメカニズムは、例えば、デジタルコンテンツストリームに署名するためのより効率的なメカニズムを可能にする、暗号関連文献の中の既存または将来の任意の成果を利用することができる。
【００５６】
通信を保護するため、システムは、標準的なエンドツーエンドのセキュリティ手段を使用して、鍵を交換し、コンテンツを暗号化することができる。一実施形態では、ＣＣＮ内のノードは、任意の登録済ノードまたはコンテンツプロバイダ（発行者）用の公開鍵を検索することができ、それらの鍵を使用して、データを暗号解除することができる。
【００５７】
システムは、名前によってコンテンツに効率的にアクセスするために、従来のネットワークアドレス（例えば、ＩＰアドレス）のように設計されたアドレスとして、構造化された名前を使用することができる。単一の命名構造は、システムにおいて、存在論面で、コンテンツが何であるか、それがどこで誰によって生成されたかを把握することと、ナビゲーション面で、コンテンツを見つけることを可能にすることの、２つの役割を果たす。
【００５８】
ＣＣＮ名は、集約のための階層的構造とすることができる。ＣＣＮ内におけるルーティングは、トポロジ的に効率の良いブランチを辿って、特定のコンテンツに到達することができる。本発明の実施形態では、コンテンツ名において、有意味な構造を可能にすることができる。ナビゲーション構造をコンテンツ名にマッピングする１つの手法は、現在稼働中の分散名前空間、すなわち、ＤＮＳを利用することである。例えば、ｏｒｇａｎｉｚａｔｉｏｎにおいて発行されるコンテンツは、ｏｒｇａｎｉｚａｔｉｏｎ．ｃｏｍという名前空間の下で発行することができ、コンテンツルータは、ｏｒｇａｎｉｚａｔｉｏｎ．ｃｏｍというプレフィックスを有する膨大なコンテンツがそのネットワークロケーションから来ることを（動的に）決定することができる。
【００５９】
消費者が、特定の名前に対するインタレストを表明することによって、１つのコンテンツを求める場合、ＣＣＮクライアントは最初に、そのコンテンツが容易に取得できる場所（例えば、ローカルネットワーク上）で、コンテンツを求めることができる。システムがそこでコンテンツを見出さない場合、インタレストは、その名前空間または名前プレフィックス（例えば、ｐａｒｃ．ｃｏｍ）に到る可能性が最も高い方向に送信することができる。その方向は、上位ネットワーク、下位ネットワーク、またはローカルネットワーク内の別のノードとすることができる。上流のエンティティは、コンテンツのキャッシュを有してよく、コンテンツの源泉と通信することなく、コンテンツを返すことができる。
【００６０】
一実施形態では、システムは、情報採餌モデルを使用することができ、その場合、インタレストは、コンテンツが存在する可能性が最も高い場所に流れ、コンテンツは、インタレストを表明したノードに戻るために、同じ経路を逆に辿って流れる。そのネットワークインターフェースの１つでインタレストを受信したＣＣＮノードは、そのインタレストを、マッチングコンテンツに到達する可能性が最も高い他のインターフェースに転送する。同時に、ＣＣＮノードは、そのインタレストがどのインターフェースから入って来たかを書き留める。マッチングコンテンツが上流のネットワークロケーションから返された場合、ノードは、そのインターフェースのどれにマッチングインタレストが到着したかを知るために照合を行い、その「航跡（ｔｒａｉｌ）」情報に従ってコンテンツを返信する。基本的に、インタレストが辿る経路は、返されるコンテンツのためのルートとして働く。
【００６１】
それに対して応答が期待されるコンテンツを送信する前に、送信者は、応答に対するインタレストも表明することができる。応答コンテンツに与えられる名前は、要求のコンテンツを与えることで暗示することができ、そのため、名前（または名前のプレフィックス）を事前に計算することが可能である。このロックステップトランザクション（ｌｏｃｋ−ｓｔｅｐ  ｔｒａｎｓａｃｔｉｏｎ）は、ＣＣＮトラフィックのフロー制御を生み出し、コンテンツは、それが求められた場合のみ配信される。要するに、コンテンツはインタレストに追随する。したがって、ＣＣＮは、組み込みフロー制御のためのメカニズムを含み、このメカニズムは、望まれるよりも多くのコンテンツを決して送信しないことによって、公平性および信頼性を保証することができる。
【００６２】
一実施形態では、所与のノードによって表明された各インタレストは、コンテンツのフラグメント（例えば、パケット）を１つだけ取り出す。１つのコンテンツがインタレストを「使い果たす」。コンテンツの別のフラグメントを受信するため、インタレスト所有者は、別のインタレストを表明することができる。より簡潔に言うと、インタレストとコンテンツのフラグメントとがペアにされる。インタレストをコンテンツのフラグメントとペアリングすることは、いくつかの特徴を提供する。第１に、それは、帯域幅に関わらず各リンクの特性に合わせて自動的にスケーリングされ得る効率的な輻輳制御を提供する。第２に、それは、公平性または要望通りに管理された非公平性を保証できる方針の確立を可能にし、後者は、差別化されたサービスのサポートを可能にする。
【００６３】
インタレストのための経路は、コンテンツを含む可能性の高いノードへの情報転送のＣＣＮモデルを通して確立することができる。いくつかの実施形態では、ＣＣＮは、インタレストを本質的にコンテンツとして扱うことによって、ノードが、インタレスト自体に対するインタレストを表明することを可能にすることができる。ある名前空間内のコンテンツを有するノードは、その名前空間内のコンテンツを探しているインタレストに対するインタレストを表明することができる。インタレストに対するそうしたインタレストは、ＣＣＮを介して伝播し、コンテンツインタレストがそれに沿って移動する「航跡」情報を確立する。この特徴は、コンテンツプロバイダが、コンテンツ消費者または他のノードにコンテンツを勧めるまたは「プッシュ（ｐｕｓｈ）」することを可能にする。
【００６４】
ノードは、ある名前構成要素に関連するセマンティクスを理解できる場合、予備の名前（ｓｐａｒｅ  ｎａｍｅ）を抽出または除去するための方針を適用することができる。「ｌｏｃａｌ」という名前プレフィックス（例えば、／ｌｏｃａｌ）の下のコンテンツに対するインタレストは、所与のマシンまたはローカルネットワークから離れることはできない。他の形式の相対的な名前は、インフラストラクチャによって動的に解決することができる（例えば、「ｔｈｉｓ  ｃｏｎｆｅｒｅｎｃｅ  ｒｏｏｍ」、「ｔｈｉｓ  ｏｒｇａｎｉｚａｔｉｏｎ」、「Ｔｕｅｓｄａｙ  ａｆｔｅｒｎｏｏｎ」）。これらの相対的な名前のうちの最も簡単なものは、従来のネットワーキングにおけるサイトローカルおよびリンクローカルアドレスと同じ目的を達することができる。より精巧な相対的な名前は、より精巧なアプリケーションをサポートすることができる。
【００６５】
コンテンツは、発行者によって、事前に所定の名前に関連付けることができるが、特定の名前に対応するデータは、リアルタイムに生成することができる。例えば、システムは、そのような名前を含む名前空間に対するインタレストに対するインタレストを表明することができ、名前空間に対するインタレストがそのサービスにルーティングされることを可能にする。そのような特定のインタレストを受信すると、コンテンツプロバイダは、次にそれに応答して、コンテンツを生成することができる。そのコンテンツは、ＣＣＮ内にキャッシュされることができ、将来のマッチングクエリに応答して、最初のコンテンツプロバイダまで遡る必要なく返されることができる。そのようなアプリケーションの例は、デジタル著作権管理を含み、その場合、インタレストは、コンテンツプロバイダが、許可（ａｕｔｈｏｒｉｚａｔｉｏｎ）をチェックし、コンテンツをコンテンツ消費者に適合させることを可能にするのに十分な、コンテンツ消費者についての情報を含むことができる。
【００６６】
一実施形態では、システムは、コンテンツストリームに対する多くの発行済のインタレスト（ｏｕｔｓｔａｎｄｉｎｇ  ｉｎｔｅｒｅｓｔ）を維持することができる。ストリームが開かれた場合（またはネットワーク状態が変化した場合）、システムは、同じコンテンツに対する多くのインタレストを生成することができる。システムは、そのストリームのためのコンテンツを受信するたびに、新しいインタレストを生成し、それによって、発行済のインタレストの数をパイプラインによって要求される数まで回復させる。結果として、ＣＣＮホストは、同じコンテンツに対する多数のインタレストを維持することができる。一実施形態では、システムは、所与の名前によってコンテンツのただ１つのインスタンスを維持しながら、これらのインタレストを１つのインタレストおよび１カウントに合併することができる。コンテンツがインタレストに向かって逆向きに伝播するとき、システムは、カウントをデクリメントする。このようにして、コンテンツが到着するレートは、パイプライン化された加入者のインタレストによって設定される限界まで、（例えば、メディアコーデックのデータレートに基づいて）発行者によって決定されることができる。
【００６７】
一実施形態では、システムは、１つのコンテンツに対するインタレストを生成することができ、インタレストは、コンテンツの構造化された名前を指示し、名前は、コンテンツに関して一意的および永続的である。名前は、コンテンツについての認証情報を含むことができる。図６は、このプロセスをフローチャートで図示している。動作中、システムは最初に、１つのコンテンツに対するインタレストを生成する（動作６００）。次にシステムは、インタレストをネットワーク内のノードに送信する（動作６１０）。
【００６８】
図７は、本発明の一実施形態による、ＣＣＮにおける通信を円滑化するための例示的なコンピュータシステムを提示している。図７では、コンピュータおよび通信システム７００は、プロセッサ７１０と、メモリ７２０と、記憶装置７３０とを含み、それらはすべて、互いに結合される。記憶装置７３０は、プロセッサ７１０によって実行されるプログラムを保存する。具体的には、記憶装置７３０は、ＣＣＮにおける通信を円滑化するためのシステム（アプリケーション）を実施するプログラム７４０を保存する。
【００６９】
コンピュータおよび通信システム７００は、ＣＣＮ７８０の一部に接続され、および／またはＣＣＮ７８０内の任意のノード上に存在することができる。動作中、ＣＣＮ通信アプリケーション７４０は、記憶装置７３０からメモリ７２０にロードされ、プロセッサ７１０によって実行される。結果として、コンピュータおよび通信システム７００は、上述された機能を実行する。
【００７０】
図７は、コンピュータおよび通信システム７００に接続された、任意選択のディスプレイ７７０、キーボード７５０、およびポインティングデバイス７６０も示している。ディスプレイ、キーボード、およびポインティングデバイスは、インタレストの生成、ならびにコンテンツの受信および表示を容易にすることができる。
【００７１】
詳細な説明のセクションで説明された方法およびプロセスは、上述されたようなコンピュータ可読記憶媒体内に保存できる、コードおよび／またはデータとして実施することができる。コンピュータシステムは、コンピュータ可読記憶媒体上に保存されたコードおよび／またはデータを読み、実行する場合、データ構造およびコードとして実施され、コンピュータ可読記憶媒体内に保存された、方法およびプロセスを実行する。
【符号の説明】
【００７２】
１００，１０５，１１０，１１５，１２０，１２５，１３０，１３５，１４０，１４５  ＣＣＮノード、１５０，１５５，１６０  インタレストの流れ、１６５，１７０，１７５  コンテンツの流れ、１８０，７８０  ＣＣＮ、１８５  ネットワーク接続、７００  コンピュータおよび通信システム、７１０  プロセッサ、７２０  メモリ、７３０  記憶装置、７４０  ＣＣＮ通信アプリケーション、７５０  キーボード、７６０  ポインティングデバイス、７７０  ディスプレイ。
【図１】
0005536362.tif 000002
【図２】
0005536362.tif 000003
【図３】
0005536362.tif 000004
【図４】
0005536362.tif 000005
【図５】
0005536362.tif 000006
【図６】
0005536362.tif 000007
【図７】
0005536362.tif 000008